(57)【特許請求の範囲】
【請求項１】
遊技状態に応じて第１の位置と第２の位置との間で往復移動可能な可動部材と、前記可動部材を往復移動させるための駆動手段と、前記可動部材および前記駆動手段が取り付けられるベース体とから構成される可動演出装置を備えた遊技機において、
前記可動部材には、該可動部材の前記第１の位置から前記第２の位置への移動に伴って第１の状態から第２の状態へと移動可能なスライド部材と、前記スライド部材を前記第１の状態から前記第２の状態へ移動させる方向に付勢する付勢部材と、前記スライド部材の前記第１の状態から前記第２の状態への移動に連動して該スライド部材の移動方向とは異なる方向に変位可能な変位部材とが設けられ、
前記ベース体には、前記可動部材が前記第１の位置にある場合に、前記スライド部材の前記第１の状態から前記第２の状態への前記付勢部材の付勢による移動動作を規制する一方、前記可動部材が前記第２の位置にある場合に、前記スライド部材の前記第１の状態から第２の状態への前記付勢部材の付勢による移動動作を規制しない移動規制壁が形成され、
前記スライド部材には、一端側に前記変位部材を係止可能な係止部が形成されると共に、他端側に前記移動規制壁に当接可能な当接部が形成されており、
前記可動部材が前記第１の位置にある場合に、前記当接部が前記移動規制壁に当接することで前記スライド部材が前記第１の状態に保持される一方、前記可動部材が前記第１の位置から前記第２の位置へ移動した際に、前記当接部と前記移動規制壁との当接が解除されることで前記付勢部材の付勢によって前記スライド部材が前記第２の状態に移動すると共に前記変位部材が変位するようにし、
前記可動部材には、前記変位部材を回動可能にするための軸部が形成され、
前記変位部材には、前記可動部材の前記軸部に軸支される被軸支部が形成されると共に、前記スライド部材の前記係止部に係止可能な棒状の被係止部が形成され、
前記スライド部材の前記係止部には、前記変位部材の前記被係止部が挿通可能な挿通口が形成され、
前記可動部材には、前記スライド部材の前記挿通口に挿通された前記変位部材の前記被係止部が挿入可能な挿入口が形成され、
前記挿通口と前記挿入口は、前記被係止部が移動可能な大きさを有すると共に、該挿通口における前記被係止部の移動方向と、該挿入口における前記被係止部の移動方向とが異なるように形成されており、
前記変位部材は、前記スライド部材の前記第１の状態から前記第２の状態への移動に連動して、前記被係止部が前記挿通口および前記挿入口に沿って移動することで、前記スライド部材の移動方向とは異なる方向に変位するようにしたことを特徴とする遊技機。
【請求項２】
前記ベース体の前記移動規制壁は、前記可動部材の移動方向に沿って形成されると共に、
前記移動規制壁には、第１の誘導面が形成されると共に、前記スライド部材の当接部には、第２の誘導面が形成されており、前記第１の誘導面および前記第２の誘導面の少なくとも一方は前記可動部材の移動方向に対して傾斜して形成され、
前記可動部材が前記第２の位置から前記第１の位置へ移動した際に、前記スライド部材は、前記当接部の前記第２の誘導面が前記移動規制壁の前記第１の誘導面によって案内されつつ前記付勢部材の付勢に抗して前記第２の状態から前記第１の状態へ移動するようにしたことを特徴とする請求項１に記載の遊技機。
【請求項３】
前記可動部材には、前記スライド部材が前記第１の状態と前記第２の状態との間の移動方向とは異なる方向への動きを規制する規制部が形成され、
前記スライド部材には、該スライド部材の移動方向に対して異なる方向への動きが規制されるように前記規制部と干渉可能な突部が形成されていることを特徴とする請求項１または２に記載の遊技機。
【請求項４】
前記可動部材の移動方向および前記スライド部材の移動方向が、遊技機の遊技盤面と平行となるように配置されていることを特徴とする請求項１から３のいずれか一項に記載の遊技機。
【発明の詳細な説明】
【技術分野】
【０００１】
本発明は、パチンコ遊技機などの遊技機に関し、更に詳しくは、遊技の進行状況に応じて可動部材を移動させて遊技を演出する可動演出装置が設けられた遊技機に関するものである。
【背景技術】
【０００２】
従来、この種の可動演出装置としては、下記特許文献１に開示されるように可動部材を移動させて遊技を演出する遊技機がある。
【０００３】
この特許文献１の例えば図５には、カジキマグロを象った可動部材１１を上下移動させるための上下変位機構１３と、可動部材１１の頭部１７を胴部１６に対して前後に移動させるための前後変位機構１２を備えた可動演出装置が示されている。
【０００４】
上下変位機構１３は、モータ４６と、モータ４６の回転軸４７に連結される回転盤４８と、一端部が可動部材１１の回動支軸２０に固定されるリンクアーム５０を備えている。リンクアーム５０の他端部には長円形状の係合孔５７が形成され、この係合孔５７に回転盤４８の前面側に設けられた係合部５４が係合可能となっており、モータ４６の駆動による回転盤４８の回転に伴ってリンクアーム５０を回動させることで、可動部材１１を表示部５の前面側に出没させることが可能になっている。
【０００５】
また、前後変位機構１２は、胴部１６の先端に設けられた頭部支持部２２と、頭部１７の側端部に設けられ頭部支持部２２を上下で挟持する一対のアーム部３４，３５と、胴部１６の内部に取り付けられる電磁ソレノイド４０を有している。また、前後変位機構１２は、胴部１６の内部に設けられた一対のアーム支持部２７，２８と、そのアーム支持部２７，２８に挿通される伝達アーム４３と、頭部１７の側端部に設けられたアーム部３４の掛止部３７と胴部１６の内部に設けられた掛止部２９とに掛止される復帰バネ４４を有している。
【０００６】
この場合、この前後変位機構１２においては、電磁ソレノイド４０のプランジャ４２の動きに連動して伝達アーム４３をスライドさせ、そのスライドされた伝達アーム４３の先端当接部６８によって頭部１７に設けられたアーム部３５を押圧することにより、頭部１７を胴部１６に対して前後に移動させることが可能になっている。
【先行技術文献】
【特許文献】
【０００７】
【特許文献１】特開２００５−１３５１２号公報
【発明の概要】
【発明が解決しようとする課題】
【０００８】
しかしながら、このような可動部材１１を２段階で動作させる可動演出装置においては、上下変位機構１３のモータ４６および前後変位機構１２の電磁ソレノイド４０というような２つの駆動手段を備えているため、その機構が複雑になったり形状が変わると、遊技機という限られた空間にそのような２つの駆動手段を備えた可動演出装置を配置することが困難になる等のおそれがあった。
【０００９】
そこで、本発明は、可動部材を一の駆動手段で２段階動作させることが可能な可動演出装置を備えた遊技機を提供することを目的とする。
【課題を解決するための手段】
【００１０】
上記課題を解決するために本発明は、遊技状態に応じて第１の位置と第２の位置との間で往復移動可能な可動部材と、前記可動部材を往復移動させるための駆動手段と、前記可動部材および前記駆動手段が取り付けられるベース体とから構成される可動演出装置を備えた遊技機において、前記可動部材には、該可動部材の前記第１の位置から前記第２の位置への移動に伴って第１の状態から第２の状態へと移動可能なスライド部材と、前記スライド部材を前記第１の状態から前記第２の状態へ移動させる方向に付勢する付勢部材と、前記スライド部材の前記第１の状態から前記第２の状態への移動に連動して該スライド部材の移動方向とは異なる方向に変位可能な変位部材とが設けられ、前記ベース体には、前記可動部材が前記第１の位置にある場合に、前記スライド部材の前記第１の状態から前記第２の状態への前記付勢部材の付勢による移動動作を規制する一方、前記可動部材が前記第２の位置にある場合に、前記スライド部材の前記第１の状態から第２の状態への前記付勢部材の付勢による移動動作を規制しない移動規制壁が形成され、前記スライド部材には、一端側に前記変位部材を係止可能な係止部が形成されると共に、他端側に前記移動規制壁に当接可能な当接部が形成されており、前記可動部材が前記第１の位置にある場合に、前記当接部が前記移動規制壁に当接することで前記スライド部材が前記第１の状態に保持される一方、前記可動部材が前記第１の位置から前記第２の位置へ移動した際に、前記当接部と前記移動規制壁との当接が解除されることで前記付勢部材の付勢によって前記スライド部材が前記第２の状態に移動すると共に前記変位部材が変位するようにし、前記可動部材には、前記変位部材を回動可能にするための軸部が形成され、前記変位部材には、前記可動部材の前記軸部に軸支される被軸支部が形成されると共に、前記スライド部材の前記係止部に係止可能な棒状の被係止部が形成され、前記スライド部材の前記係止部には、前記変位部材の前記被係止部が挿通可能な挿通口が形成され、前記可動部材には、前記スライド部材の前記挿通口に挿通された前記変位部材の前記被係止部が挿入可能な挿入口が形成され、前記挿通口と前記挿入口は、前記被係止部が移動可能な大きさを有すると共に、該挿通口における前記被係止部の移動方向と、該挿入口における前記被係止部の移動方向とが異なるように形成されており、前記変位部材は、前記スライド部材の前記第１の状態から前記第２の状態への移動に連動して、前記被係止部が前記挿通口および前記挿入口に沿って移動することで、前記スライド部材の移動方向とは異なる方向に変位するようにしたことを要旨とするものである。
【００１１】
上記構成を有する遊技機によれば、可動部材を第１の位置から第２の位置へと駆動手段によって移動させるだけで、可動部材に設けられたスライド部材の付勢部材による移動（第１の状態から第２の状態への移動）に伴って変位部材を変位させることができるので、可動部材の移動とその可動部材に設けられた変位部材の変位という２段階の動作を一の駆動手段で行うことが可能になっている。つまり、一の駆動手段を用いるだけで、可動部材を第１の位置と第２に位置の間で移動させることが可能であると共に、変位部材も変位（スライド部材も移動）させることが可能となっており、変位部材を変位（スライド部材を移動）させるため専用の駆動手段、例えば上記特許文献のような電動ソレノイド等を別途用意する必要がない。したがって、これらの部材を移動または変位させるための機構が複雑化してしまうことが抑制されると共に、遊技機という限られた空間にこのような可動演出装置をコンパクトに配置することが可能となっている。
【００１２】
また、このような構成によれば、簡易な機構で、可動部材に設けられた変位部材を可動部材の移動に合わせて変位させることが可能である。
【００１３】
また、前記ベース体の前記移動規制壁は、前記可動部材の移動方向に沿って形成されると共に、前記移動規制壁には、第１の誘導面が形成されると共に、前記スライド部材の当接部には、第２の誘導面が形成されており、前記第１の誘導面および前記第２の誘導面の少なくとも一方は前記可動部材の移動方向に対して傾斜して形成され、前記可動部材が前記第２の位置から前記第１の位置へ移動した際に、前記スライド部材は、前記当接部の前記第２の誘導面が前記移動規制壁の前記第１の誘導面によって案内されつつ前記付勢部材の付勢に抗して前記第２の状態から前記第１の状態へ移動するようにした構成にすると良い。このような構成によれば、可動部材に設けられたスライド部材の第２の状態から第１の状態への移動動作、つまり付勢部材による付勢に抗する方向への移動動作（スライド動作）をスムーズにすることが可能である。
【００１４】
更に、前記可動部材には、前記スライド部材が前記第１の状態と前記第２の状態との間の移動方向とは異なる方向への動きを規制する規制部が形成され、前記スライド部材には、該スライド部材の移動方向に対して異なる方向への動きが規制されるように前記規制部と干渉可能な突部が形成されている構成にすると良い。このような構成によれば、スライド部材が本来の移動方向と交差するような方向への移動が抑制されるので、スライド部材の移動動作（スライド動作）を可動部材に対して引っ掛かりなくスムーズにすることが可能である。
【００１５】
そして、前記可動部材の移動方向および前記スライド部材の移動方向が、遊技機の遊技盤面と平行となるように配置されている構成にすると良い。このような構成によれば、遊技機前後方向において嵩張らないように可動演出装置を配置することが可能となり、遊技機という限られた空間の有効利用を図ることができる。
【発明の効果】
【００１６】
上記構成を有する遊技機によれば、一の駆動手段を用いるだけで、可動部材を第１の位置と第２に位置の間で移動させることが可能であると共に、変位部材も変位（スライド部材も移動）させることが可能となっており、変位部材を変位（スライド部材を移動）させるため専用の駆動手段、例えば上記特許文献のような電動ソレノイド等を別途用意する必要がないので、これらの部材を移動または変位させるための機構が複雑化してしまうことが抑制されると共に、遊技機という限られた空間にこのような可動演出装置をコンパクトに配置することが可能となっている。
【図面の簡単な説明】
【００１７】
【図１】本発明の一実施形態に係る遊技機の一例を示した正面図である。
【図２】図１の遊技機が備える遊技盤の正面図である。
【図３】センター役物が備えるセンターベースと可動演出装置の正面図である。
【図４】可動演出装置を前面側から見た外観斜視図である。
【図５】可動演出装置を背面側から見た外観斜視図である。
【図６】可動部材の表側カバーを外した状態の可動演出装置を前面側から見た外観斜視図である。
【図７】可動部材の裏側カバーを外した状態の可動演出装置を背面側から見た外観斜視図である。
【図８】可動部材が第２の位置にある状態の可動演出装置の背面図である。
【図９】可動部材が第１の位置にある状態の可動演出装置の背面図である。
【図１０】ベース体が外された状態の可動演出装置の背面図である。
【図１１】ギア部カバー、回動部カバーおよび表側カバーが外された状態の可動演出装置の正面図である。
【図１２】可動演出装置が備える可動部材の動作を模式的に示した正面図である。
【図１３】図１２に続く可動部材の動作を模式的に示した正面図である。
【発明を実施するための形態】
【００１８】
以下、本発明に係る遊技機の実施の形態について図面を参照して詳細に説明する。図１は本発明の実施形態に係る遊技機を示した正面図である。図示されるように、遊技機１はパチンコ遊技機である。
【００１９】
この遊技機１には、所要の奥行きを有する額縁形状に形成された機枠２を備えており、その機枠２の前面側には、左側縁が軸着されて前方に開閉可能に前面枠３が取り付けられ、その前面枠３に対して左側縁が軸着されて前面側に開閉可能に形成されたガラス枠４が取り付けられている。
【００２０】
尚、以下の説明においては、遊技機１の前面とは、遊技機１の正面側（遊技者が遊技を行う側）のことであり、遊技機１の裏面或いは後方とは遊技機１の背面側のことである。また遊技機１の左側、右側、上側、下側とは、遊技機１を正面側（遊技者側）から見た場合の左側、右側、上側、下側のことである。また、遊技機１を構成する各種部材においても、表側、裏側、前面側、後側等という場合、特に断りがない限り、遊技機１に装着された状態での表側、裏側、前面側、後側方向等である。
【００２１】
図１に示されるように、ガラス枠４には、遊技盤５の位置にガラス板またはプラスチック板等の透明板が嵌め込まれている。ガラス枠４には、この透明板を通して前面側から遊技盤５の遊技領域６を視認可能である。ガラス枠４には、遊技領域６へ発射するための遊技球を入れる上皿ユニット７が一体的に形成されている。上皿ユニット７には、貯留されている遊技球を下皿ユニット８に流下させるための上皿操作部９や、貸し出し可能な貸し球を払い出すための球貸し操作部１１等が設けられている。また、ガラス枠４の上部左右両側には、スピーカ１０，１０が設けられている。
【００２２】
図１に示されるように、前面枠３のガラス枠４の下方には、左側縁が軸着されて前面枠３に対して開閉可能な下皿ユニット８が組み付けられている。また、前面枠３の右下には、遊技球を発射操作するためのタッチスイッチを備える発射ハンドル１２が設けられている。下皿ユニット８は、払い出された遊技球のうち上皿ユニット７に入りきらない遊技球を貯めることが可能である。下皿ユニット８には、遊技球を下方に落下させるための下皿操作部１３等が設けられている。
【００２３】
図２は図１の遊技盤５を示す正面図である。遊技盤５は、ほぼ正方形の合板により成形されており、前面枠３に着脱可能に取り付けられている。この遊技盤５には、発射装置から発射された遊技球をガイドするための金属製の薄板からなる帯状の内側ガイドレール１４および外側ガイドレール１５が略円弧形状に立設されており、このガイドレール１４，１５によって遊技領域６の外郭の一部が形成されている。
【００２４】
図２に示されるように、遊技盤５の遊技領域６には、その中心線上において上から順に、遊技状況に応じた演出を行うことが可能な遊技演出装置としての表示装置１７、電動チューリップからなる始動入賞装置１８、長方形の開口部を開閉可能に覆っている蓋からなるアタッカー形式の特別入賞装置１９、アウト口２０が配置されている。また、遊技領域６には、風車２１や、流下する遊技球が衝突することにより遊技球の流下態様に変化を与える障害物としての遊技釘２２が複数立設されている。遊技領域６を流下する遊技球は、遊技釘２２に衝突したときの条件に応じて様々な態様に変化して流下される。
【００２５】
表示装置１７としては、液晶表示パネルが適用されており、その矩形状の表示画面（表示部１７ａ）において特別図柄や普通図柄等が表示されるようになっている。この表示部１７ａの前面の周囲には、遊技の装飾効果（遊技演出効果）を高めるためのセンター役物３０が配設されている。センター役物３０は、前面側装飾部材４０や可動演出装置５０などを備えている。前面側装飾部材４０は、遊技盤５の前面側に設けられており、その略中央には表示部１７ａを視認可能な開口部４０ａが形成され、表示部１７ａの周囲を装飾している。
【００２６】
可動演出装置５０は、表示部１７ａの上辺よりも上方に配置されており、槍の形状を模した可動部材６０を備えている。この可動部材６０は、図２に示されるような前面側装飾部材４０の上側に設けられたカバー体４０ｂの背面側に隠れるように配置される待機位置（第１の位置）Ｐ１と、前面側装飾部材４０の開口部４０ａ内、つまり表示部１７ａの上辺からその前面側に現れる（露出される）ように配置される露出位置（第２の位置）Ｐ２との間を往復移動できるようになっている。更に、図示されるように、露出位置Ｐ２において、可動部材６０に設けられた爪状の変位部材６３，６３を、可動部材６０に対して開くように変位した姿勢にすることができるようになっている。
【００２７】
例えば、入賞装置に遊技球が入賞して表示部１７ａで表示図柄がリーチになる等、遊技状態が変化して、遊技機１に備えられる制御回路等から可動演出装置５０を駆動させる命令が発生すると、可動部材６０は、図２に示されるようなカバー体４０ｂの背面側に隠れるように配置される待機位置（第１の位置）Ｐ１から、前面側装飾部材４０の開口部４０ａ内に徐々に現れ（露出され）ながら露出位置（第２の位置）Ｐ２に移動（回動）させられると共に、露出位置Ｐ２において槍が展開するように変位部材６３，６３が変位（回動）されるようになっている。
【００２８】
尚、特に図示しないが、遊技機１の背面側には、枠用外部端子基板、表示制御基板、主制御基板、音声制御基板、ランプ制御基板、払出制御基板、発射制御基板、電源基板等の各種基板や、カードインターフェース接続部、球タンク、タンクレール、屈曲樋、球切れ検出スイッチ、球払出装置，球排出樋、発射装置等の遊技機構成部材が設けられている。
【００２９】
このような遊技機１においては、発射ハンドル１２の操作により発射装置から遊技領域６に遊技球を発射すると、遊技球が遊技領域６の表面を転動しながら落下し、その遊技球が始動入賞装置１８、特別入賞装置１９等の入賞装置に入ると、所定数の賞球遊技球が、払い出されるように構成されている。
【００３０】
図３は、センター役物３０の背面側に設けられたセンターベース４１とこのセンターベース４１に取り付けられた可動演出装置５０の正面図を示している。尚、図３においては遊技盤５、前面側装飾部材４０の記載は省略されている。
【００３１】
図示されるように、センターベース４１は、可動演出装置５０などの部材を取り付けるための枠体状の部材である。尚、前面側装飾部材４０は遊技盤５の前面側に装着され、センターベース４１は遊技盤５の背面側に装着されるようになっており、遊技盤５は前面側装飾部材４０とセンターベース４１との間に挟み込まれるように配設されるように構成されている。
【００３２】
センターベース４１は、表示装置１７の表示部１７ａの周囲を囲むように形成されており、その中央部分には、表示部１７ａを視認可能にするための開口部４１ａが設けられている。この場合、開口部４１ａの背面側に表示装置１７は取り付けられるようになっている。また、センターベース４１の前面側は、前面側装飾部材４０にその背面側から光を照射するＬＥＤ（発光ダイオード）が複数実装されたＬＥＤ基板（図示せず）などの各種部材を取り付けたり収納したりするための額縁状の枠体として形成されている。
【００３３】
図示されるように、可動演出装置５０は、センターベース４１の矩形状の開口４１ａの上辺（表示部１７ａの上辺）よりも上方に配設されている。
【００３４】
図４は、可動演出装置５０を前面側から見た外観斜視図、図５は、可動演出装置５０を背面側から見た外観斜視図を示している。また、図６は、可動部材６０の表側カバー６１を外した状態の可動演出装置５０を前面側から見た外観斜視図、図７は、可動部材６０の裏側カバー６２を外した状態の可動演出装置５０を背面側から見た外観斜視図、図８は、可動部材６０が第２の位置Ｐ２にある状態の可動演出装置５０の背面図を示している。
【００３５】
図９は、可動部材６０が第１の位置Ｐ１にある状態の可動演出装置５０の背面図を示している。図１０は、ベース体５１が外された状態の可動演出装置５０の背面図、図１１は、ギア部カバー５２、回動部カバー５３および表側カバー６１が外された状態の可動演出装置５０の正面図を示している。尚、図４〜図８は、可動演出装置５０の可動部材６０が第２の位置Ｐ２にある状態を示しており、図９〜図１１は、可動演出装置５０の可動部材６０が第１の位置Ｐ１にある状態を示している。
【００３６】
図示されるように、可動演出装置５０には、ベース体５１、可動部材６０、変位部材６３，６３、連結アーム５６、モータ８１などが備えられている。
【００３７】
尚、以下の可動部材６０およびこの可動部材６０を構成する表側カバー６１、裏側カバー６２、変位部材６３，６３、スライド部材７１、付勢バネ７２などの各構成部材においては、先端側、前端側という場合、特に断りがない限り、ベース体５１から可動部材６０が延びていく方向（延出方向）を先端側、前端側方向とし、その反対方向（ベース体５１側の方向）を基端側、後端側方向として説明する。
【００３８】
図４および図５に示されるように、可動部材６０は、表側カバー６１と裏側カバー６２を備えている。表側カバー６１と裏側カバー６２との間の空間には、図６および図７に示されるように、スライド部材７１、付勢バネ７２および変位部材６３，６３の基端部６３ａ，６３ａが収容されている。
【００３９】
また、表側カバー６１と裏側カバー６２の間には、左右側方に向かってスリット状に開口された収容部６０ａ，６０ａが形成されている。この収容部６０ａ，６０ａには、閉じた状態の変位部材６３，６３の少なくとも内側部分が収納可能となっている（図９参照）。
【００４０】
図６に示されるように、スライド部材７１は、付勢バネ７２の付勢によって可動部材６０（裏側カバー６２）の長手方向に沿ってスライド（移動）することが可能な部材である。スライド部材７１は、その略中央に前面側に向かって突出された凸部７１ａを備えた略長方形状を有している。図７および図８に示されるようにスライド部材７１の先端には、略Ｔ字形の係止部７１ｂが設けられている。係止部７１ｂには、変位部材６３，６３の基端部６３ａ，６３ａの背面に立設された棒状の被係止部６３ｂ，６３ｂが挿通される挿通口７１ｃ，７１ｃが対になって設けられている。この場合、挿通口７１ｃは、スライド部材７１の移動方向に直交する方向、つまり左右側方に向かった長孔形状に開口形成されている。
【００４１】
また、図６に示されるように、スライド部材７１の係止部７１ｂが設けられた先端とは反対側の基端には、後方に向かってＬ字状に突出された当接部７１ｄが設けられている。この場合、当接部７１ｄは正面視で略三角形状を有しており、その外面には、スライド部材７１のスライド方向（可動部材６０の長手方向）に対して傾斜した第２の誘導面７１ｅが形成されている。
【００４２】
スライド部材７１の凸部７１ａと当接部７１ｄとの間の凸部７１ａ寄りの位置には、長手方向に沿って長孔形状に開口された規制孔７１ｆが形成されている。この規制孔７１ｆには、裏側カバー６２の前面側に向かって突出された円筒部６２ａが挿通されている。
【００４３】
スライド部材７１の凸部７１ａの内側には、バネ係止ピン７１ｇが設けられている。バネ係止ピン７１ｇは、凸部７１ａの基端側の壁面から先端側に向かって突出形成されている。このバネ係止ピン７１ｇには、付勢バネ７２の一端が係止可能となっている。また、スライド部材７１の凸部７１ａには、バネ係止ピン７１ｇを前面側から視認可能にする開口窓７１ｈが開口形成されている。この開口窓７１ｈは、付勢バネ７２の一端をバネ係止ピン７１ｇに、図示しない棒状の治具を用いて係止させる際に、その治具先端の挿入口として利用することができるようになっている。
【００４４】
更に、スライド部材７１の凸部７１ａの基端側と先端側の近傍のそれぞれには、左右側方に向かって突出された突部７１ｉ，７１ｉ，７１ｉ，７１ｉが形成されている。
【００４５】
図６に示されるように、裏側カバー６２は、スライド部材７１を収容可能であると共に、変位部材６３，６３の一部（基端部６３ａ，６３ａ）を収容可能となっている。裏側カバー６２の前面には、その中央から基端側にかけて左右一対のガイド壁６２ｃ，６２ｃが立設されている。スライド部材７１は、ガイド壁６２ｃ，６２ｃの間において、長手方向に沿ってスライド可能になっている。
【００４６】
これらガイド壁６２ｃ，６２ｃには、スライド部材７１が本来の移動（スライド）方向と交差するような方向への移動を規制するための規制部６２ｄ，６２ｄ，６２ｄ，６２ｄが、スライド部材７１の突部７１ｉ，７１ｉ，７１ｉ，７１ｉに対応して形成されている。この場合、規制部６２ｄは、ガイド壁６２ｃの上端（前端）から内側に向かって突出形成されており、スライド部材７１の突部７１ｉをその前面側から覆うように配置されている（図６、図８および図１１参照）。
【００４７】
図８および図９に示されるように、裏側カバー６２には、変位部材６３，６３の基端部６３ａ，６３ａに設けられた棒状の被係止部６３ｂ，６３ｂが挿入される挿入口６２ｅ，６２ｅが対になって設けられている。この挿入口６２ｅ，６２ｅは、先端側に向かうにつれて外側に傾斜（スライド部材７１のスライド方向に対して傾斜）した略円弧状の長孔形状に開口形成されている。この場合、図８に示されるように、挿入口６２ｅ，６２ｅは、第２の状態Ｓ２のスライド部材７１の挿通口７１ｃ，７１ｃと一部（一端側同士）が重畳すると共に、図９に示されるように、第１の状態Ｓ１のスライド部材７１の挿通口７１ｃ，７１ｃとも一部が重畳するように配置されている。
【００４８】
スライド部材７１の挿通口７１ｃ，７１ｃと、裏側カバー６２の挿入口６２ｅ、６２ｅは、変位部材６３，６３の被係止部６３ｂ，６３ｂが移動可能な大きさを有すると共に、挿通口７１ｃ，７１ｃにおける被係止部６３ｂ，６３ｂの移動方向と、挿入口６２ｅ，６２ｅにおける被係止部６３ｂ，６３ｂの移動方向とが異なるように形成されている。これにより、変位部材６３，６３は、スライド部材７１の第１の状態Ｓ１（図９参照）から第２の状態Ｓ２（図８参照）への移動に連動して、被係止部６３ｂ，６３ｂが挿通口７１ｃ，７１ｃおよび挿入口６２ｅ，６２ｅに沿って移動することで、スライド部材７１の移動方向とは異なる方向に変位（回動）することが可能になっている。
【００４９】
図６に示されるように、裏側カバー６２のスライド部材７１の凸部７１ａに対向する部分には、矩形状の開口窓６２ｆが開口形成されている。この開口窓６２ｆの先端側には、スライド部材７１の凸部７１ａに接触しない高さの壁６２ｇが立設されている。この壁６２ｇには、基端側に向かって吐出したバネ係止ピン６２ｈが形成されている。このバネ係止ピン６２ｈには、スライド部材７１のバネ係止ピン７１ｇに一端が係止された付勢バネ７２の他端が係止可能となっている。尚、開口窓６２ｆはスライド部材７１の開口窓７１ｈの場合と同様に、付勢バネ７２をバネ係止ピン６２ｈ，７１ｇに、図示しない棒状の治具を用いて係止させる際に、その治具先端の挿入口として利用することができるようになっている。
【００５０】
スライド部材７１のバネ係止ピン７１ｇおよび裏側カバー６２のバネ係止ピン６２ｈに、両端が係止された付勢バネ７２によって、スライド部材７１は、基端側に向かって付勢された状態にされる。
【００５１】
また、裏側カバー６２には、スライド部材７１の規制孔７１ｆに挿通される円筒部６２ａが、前面側に向かって突出形成されている。図６および図８に示されるように、付勢バネ７２によって基端側に付勢されたスライド部材７１は、その規制孔７１ｆの先端面が裏側カバー６２の円筒部６２ａに当接することで、それ以上の基端側へのスライド（移動）が規制されるようになっている。
【００５２】
尚、裏側カバー６２の中央から先端側にかけて複数の開口孔６２ｉ，６２ｉ，６２ｉ，・・・が開口形成されている。これら開口孔６２ｉ内には、裏側カバー６２の裏側に配置された図示しないＬＥＤ基板に実装されたＬＥＤ（発光ダイオード）が配置されるようになっており、表側カバー６１に光を背面から照射することが可能になっている。
【００５３】
表側カバー６１は、裏側カバー６２を覆う大きさを有している。図７に示されるように、表側カバー６１の略中央には、背面側に向かって突出された円柱状の軸部６１ｄが形成されている。この軸部６１ｄには、変位部材６３，６３の基端部６３ａ，６３ａに設けられた被軸支部６３ｃ，６３ｃの内側に挿入されている。これにより、変位部材６３，６３は、軸部６１ｄを中心にして回動可能に軸支されていると共に、挿通口７１ｃによって回動角度が規制されている（図８および図９参照）。
【００５４】
図１０に示されるように、表側カバー６１の基端には、円筒状の回動部６１ａが設けられている。この回動部６１ａの回転軸６１ｂは、図１１に示されるように、ベース体５１の回動部収容室５１ｂに設けられた軸受け部５１ｃに回動可能に軸支されている。また、図１０に示されるように、回動部６１ａの背面には、回転軸６１ｂから偏心した位置において、背面側に向かって突出された偏心軸６１ｃが設けられている。この偏心軸６１ｃは、図１１に示されるように、可動ギア５５の偏心軸５５ｂに一端５６ａが回動可能に軸支された連結アーム５６の他端５６ｂが、回動可能に軸支されている。
【００５５】
ベース体５１は、横長の板状の部材で、図３に示されるように、センターベース４１に図示しない固定ネジによって取付可能になっている。図４および図６に示されるように、ベース体５１の前面側には、左側に配置されたギア部カバー５２と、右側に配置された回動部カバー５３を備えている。
【００５６】
図１１は、ギア部カバー５２および回動部カバー５３が外された状態のベース体５１を示している。図示されるように、ベース体５１の右側の前面には、可動部材６０（表側カバー６１）の円筒状の回動部６１ａが収容される回動部収容室５１ｂが設けられている。この回動部収容室５１ｂは、図４および図６に示されるように、回動部カバー５３によって覆われるようになっている。
【００５７】
また、図１１に示されるように、ベース体５１の左側の上方の前面には、ギア収容室５１ａが設けられている。ギア収容室５１ａは、図４および図６に示されるようなギア部カバー５２によって覆われるようになっている。ギア収容室５１ａには、駆動ギア８２と、これに噛み合う可動ギア５５がそれぞれ回転自在に設けられている。
【００５８】
駆動ギア８２は、ベース体５１の背面側に設けられたモータ８１の駆動軸８１ａに固定されており、モータ８１の駆動軸８１ａと一体回転可能になっている。可動ギア５５には、その回転軸５５ａから偏心した位置に偏心軸５５ｂが設けられている。この偏心軸５５ｂには連結アーム５６の一端５６ａが回動可能に軸支されている。
【００５９】
図１０は、ベース体５１が外された状態のギア部カバー５２および回動部カバー５３を示している。図示されるように連結アーム５６の他端５６ｂは、可動部材６０（表側カバー６１）の円筒状の回動部６１ａに設けられた偏心軸６１ｃに回動可能に軸支されている。この偏心軸６１ｃは、回動部６１ａの回転軸６１ｂから偏心した位置に設けられている。
【００６０】
したがって、モータ８１の駆動によって駆動ギア８２が回転するのに伴って可動ギア５５が回転することにより、その可動ギア５５の偏心軸５５ｂと前面カバー６１の回動部６１ａの偏心軸６１ｃとを連結する連結アーム５６を介して、可動部材６０（表側カバー６１）は、上下方向に移動（回動）することが可能になっている。
【００６１】
このような駆動手段であるモータ８１としては、ステッピングモータが適用されており、駆動ギア８２を正転方向に所定角度回転させたり、その正転方向とは反対の反転方向に所定角度回転させたりすることが可能になっている。このモータ８１にはコネクタ部８１ｂが設けられており、モータ８１は、遊技機１が備える制御回路等とこのコネクタ部８１ｂおよび図示しないケーブルを介して電気的に接続されて、制御回路等によってモータ８１の回転駆動が制御可能となっている。
【００６２】
図５および図８に示されるように、可動ギア５５の背面側には、前面側の偏心軸５５ｂと対向するように、位置検出用突起部５５ｃが後方に向かって突出形成されている。この位置検出用突起部５５ｃは、ベース体５１のギア収容室５１ａに円弧状に開口されたスリット５１ｃに挿入されており、そのスリット５１ｃから後方に向かって所定長さ突出するように設けられている。位置検出用突起部５５ｃは、センサ基板９１に実装された初期位置検出センサ９２の対向検出部９２ａ，９２ａの間に受容可能に配置されている（図９および図１０参照）。
【００６３】
センサ基板９１は、ベース体５１の背面に取付固定されている。このセンサ基板９１の前面には、初期位置検出センサ９２が実装されている。この初期位置検出センサ９２の対になって設けられた対向検出部９２ａ、９２ａの内部には、図示しない位置検出素子が内蔵されている。これら一対の位置検出素子は、相互間で信号（例えば赤外線）を送受信することが可能になっている。このような対向検出部９２ａ，９２ａによる信号の送受信は、上述した可動ギア５５の位置検出用突起部５５ｃによって遮ることが可能になっている。
【００６４】
図１０に示されるように、このような可動ギア５５の位置検出用突起部５５ｃが、対向検出部９２ａ，９２ａの間に配置されることにより、対向検出部９２ａ，９２ａによる信号の送受信が不能となるので、この状態を初期位置（原点または基準位置）として可動ギア５５を、これに噛み合う駆動ギア８２を介してモータ８１によって正転方向に所定角度回転させたり、反転方向に所定角度回転させたりすることが可能になっている。
【００６５】
尚、センサ基板９１の背面には、コネクタ部９１ａが設けられており、センサ基板９１は、遊技機１が備える制御回路等とこのコネクタ部９１ａおよび図示しないケーブルを介して電気的に接続されて、制御回路等からの初期位置検出センサ９２への電源の供給や、制御回路等による初期位置検出センサ９２からの検出信号の受信が可能になっている。
【００６６】
図６に示されるように、ベース体５１の回動部収容室５１ｂの前面側の所定の位置には、円弧形状を有する移動規制壁５１ｄが立設されている。この移動規制壁５１ｄは、スライド部材７１の当接部７１ｄが当接可能となっている。この移動規制壁５１ｄは、図１２（ａ）に示されるように、可動部材６０が第１の位置Ｐ１にある場合に、スライド部材７１の第１の状態Ｓ１から第２の状態Ｓ２への付勢バネ７２の付勢による移動動作を規制するようになっている。また、移動規制壁５１ｄは、図１３（ｂ）に示されるように、可動部材６０が第２の位置Ｐ２にある場合に、スライド部材７１の第１の状態Ｓ１から第２の状態Ｓ２への付勢バネ７２の付勢による移動動作を規制しないようになっている。
【００６７】
したがって、可動部材６０が第１の位置Ｐ１にある場合に、スライド部材７１の当接部７１ｄが移動規制壁５１ｄに当接することでスライド部材７１が第１の状態Ｓ１に保持される一方、可動部材６０が第１の位置Ｐ１から第２の位置Ｐ２へ移動した際に、スライド部材７１の当接部７１ｄと移動規制壁５１ｄとの当接が解除されることで付勢部材７２の付勢によってスライド部材７１が第２の状態Ｓ２に移動すると共に変位部材６３，６３が変位（回動）するようになっている（図１２および図１３参照）。
【００６８】
このような移動規制壁５１ｄは、可動部材６０の移動方向に沿って形成されている。具体的には、可動部材６０の回動方向に沿って円弧状に形成されている。この移動規制壁５１ｄには、可動部材６０の移動方向に対して傾斜した第１の誘導面５１ｅが形成されると共に、スライド部材７１の当接部７１ｄには、そのスライド部材７１の移動方向に対して傾斜した第２の誘導面７１ｅが形成されている。これにより、図１３（ｂ）、図１３（ａ）、図１２（ｂ）、図１２（ａ）の順に示されるように、可動部材６０が第２の位置Ｐ２から第１の位置Ｐ１へ移動する際には、スライド部材７１は、そのスライド部材７１の当接部７１ｄの第２の誘導面７１ｅが移動規制壁５１ｄの第１の誘導面５１ｅによって案内されつつ付勢部材７２の付勢に抗して第２の状態Ｓ２から第１の状態Ｓ１へ移動するようになっている。本実施例では移動規制壁５１ｄは円弧状に形成しているが、可動部材６０の移動方向に沿って形成されていれば円弧状でなくてもよい。
【００６９】
上述した可動演出装置５０は、遊技状態に応じて第１の位置Ｐ１と第２の位置Ｐ２との間で往復移動可能な可動部材６０と、可動部材６０を往復移動させるための駆動手段８１と、可動部材６０および駆動手段８１が取り付けられるベース体５１とから構成されている。この場合、可動部材６０には、その可動部材６０の第１の位置Ｐ１から第２の位置Ｐ２への移動に伴って第１の状態Ｓ１から第２の状態Ｓ２へと移動可能なスライド部材７１と、スライド部材７１を第１の状態Ｓ１から第２の状態Ｓ２へ移動させる方向に付勢する付勢部材７２と、スライド部材７１の第１の状態Ｓ１から第２の状態Ｓ２への移動に連動してそのスライド部材７１の移動方向とは異なる方向に変位可能な変位部材６３，６３とが設けられている。
【００７０】
また、ベース体５１には、可動部材６０が第１の位置Ｐ１にある場合に、スライド部材７１の第１の状態Ｓ１から第２の状態Ｓ２への付勢部材７２の付勢による移動動作を規制する一方、可動部材６０が第２の位置Ｐ２にある場合に、スライド部材７１の第１の状態Ｓ１から第２の状態Ｓ２への付勢部材７２の付勢による移動動作を規制しない移動規制壁５１ｄが形成されている。更に、スライド部材７１には、一端側に変位部材６３，６３を係止可能な係止部７１ｂが形成されると共に、他端側に移動規制壁５１ｄに当接可能な当接部７１ｄが形成されている。
【００７１】
したがって、可動部材６０が第１の位置Ｐ１にある場合に、当接部７１ｄが移動規制壁５１ｄに当接することでスライド部材７１が第１の状態Ｓ１に保持される一方、可動部材６０が第１の位置Ｐ１から第２の位置Ｐ２へ移動した際に、当接部７１ｄと移動規制壁５１ｄとの当接が解除されることで付勢部材７２の付勢によってスライド部材７１が第２の状態Ｓ２に移動すると共に（図１２および図１３参照）、変位部材６３，６３が変位するように構成されている（図９および図８参照）。
【００７２】
このような構成により、可動部材６０を第１の位置Ｐ１から第２の位置Ｐ２へと駆動手段８１によって移動させるだけで、可動部材６０に設けられたスライド部材７１の付勢部材による移動（第１の状態Ｓ１から第２の状態Ｓ２への移動）に伴って変位部材６３，６３を変位させることができるので、可動部材６０の移動とその可動部材６０に設けられた変位部材６３，６３の変位という２段階の動作を一の駆動手段８１で行うことが可能になっている。また、移動規制壁５１ｄの配置や大きさの設計を変更するだけで、可動部材６０の移動に伴って変位部材６３，６３を変位させる位置を変更することが可能である。
【００７３】
つまり、一の駆動手段８１を用いるだけで、可動部材６０を第１の位置Ｐ１と第２に位置Ｐ２の間で移動させることが可能であると共に、変位部材６３，６３も変位（スライド部材７１も移動）させることが可能となっており、変位部材６３，６３を変位（スライド部材７１を移動）させるため専用の駆動手段、例えば従来技術で説明した特許文献のような電動ソレノイド等を別途用意する必要がない。したがって、これらの部材を移動または変位させるための機構が複雑化してしまうことが抑制されると共に、遊技機１という限られた空間にこのような可動演出装置５０をコンパクトに配置することが可能になっている。
【００７４】
また、可動部材６０には、変位部材６３，６３を回動可能にするための軸部６１ｄが形成され、変位部材６３，６３には、可動部材６０の軸部６１ｄに軸支される被軸支部６３ｃ，６３ｃが形成されると共に、スライド部材７１の係止部７１ｂに係止可能な棒状の被係止部６３ｂ，６３ｂが形成されている。また、スライド部材７１の係止部７１ｂには、変位部材６３，６３の被係止部６３ｂ，６３ｂが挿通可能な挿通口７１ｃ，７１ｃが形成され、可動部材６０には、スライド部材７１の挿通口７１ｃ，７１ｃに挿通された変位部材６３，６３の被係止部６３ｂ，６３ｂが挿入可能な挿入口６２ｅ，６２ｅが形成されている。
【００７５】
この場合、挿通口７１ｃと挿入口６２ｅは、被係止部６３ｂが移動可能な大きさを有すると共に、挿入口６２ｅにおける被係止部６３ｂの移動方向と、挿入口６２ｅにおける被係止部６３ｂの移動方向とが異なるように形成されており、変位部材６３，６３は、スライド部材７１の第１の状態Ｓ１から第２の状態Ｓ２への移動に連動して、被係止部６３ｂが挿通口７１ｃおよび挿入口６２ｅに沿って移動することで、スライド部材７１の移動方向とは異なる方向に変位（回動）するように構成されている。また、挿通口７１ｃと挿入口６２ｅが重なる部分は、常に被係止部６３ｂが１つしか入らない大きさに形成されている。これにより、簡易な機構で、可動部材６０に設けられた変位部材６３，６３を可動部材６０の移動に合わせて変位させることができる。
【００７６】
また、ベース体５１の移動規制壁５１ｄは、可動部材６０の移動方向（回動方向）に沿って形成されると共に、その移動規制壁５１ｄには、可動部材６０の移動方向（回動方向）に対して摺動しやすく構成されている円弧状の第１の誘導面５１ｅが形成されると共に、スライド部材７１の当接部７１ｄには、そのスライド部材７１の移動方向に対して傾斜した第２の誘導面７１ｅが形成されている。
【００７７】
したがって、可動部材６０が第２の位置Ｐ２から第１の位置Ｐ１へ移動（回動）した際に、図１３（ｂ）、図１３（ａ）、図１２（ｂ）の順に示されるように、スライド部材７１は、その当接部７１ｄの第２の誘導面７１ｅが移動規制壁５１ｄの第１の誘導面５１ｅによって案内されつつ付勢部材７２の付勢に抗して第２の状態Ｓ２から第１の状態Ｓ１へ移動するように構成されている。これにより、可動部材６０に設けられたスライド部材７１の第２の状態Ｓ２から第１の状態Ｓ２への移動動作、つまり付勢部材７２による付勢に抗する方向への移動動作（スライド動作）がスムーズに行われるようになっている。また、可動部材６０が第１の位置Ｐ１から第２の位置Ｐ２へ移動（回動）した際に、図１２（ｂ）、図１３（ａ）、図１３（ｂ）の順に示されるように、スライド部材７１は、その当接部７１ｄが移動規制壁５１ｄと当接することで第１の状態Ｓ１に保持（規制）され、その後、移動規制壁５１ｄによる規制が解除される規制解除位置（図１３（ａ）の位置）にきた時に、付勢部材７２の付勢力によって第１の状態Ｓ１から第２の状態Ｓ２へ移動するように構成されている。
【００７８】
更に、可動部材６０（裏側カバー６２）には、スライド部材７１が第１の状態Ｓ１と第２の状態Ｓ２との間の移動方向とは異なる方向への動きを規制する規制部６２ｄ，６２ｄ，６２ｄ，６２ｄが形成されると共に、スライド部材７１には、そのスライド部材７１の移動方向に対して異なる方向への動きが規制されるように規制部６２ｄ，６２ｄ，６２ｄ，６２ｄと干渉可能な突部７１ｉ，７１ｉ，７１ｉ，７１ｉが形成されている（図６参照）。このような構成により、スライド部材７１が本来の移動方向と交差するような方向への移動が抑制されるので、スライド部材７１の移動動作（スライド動作）を可動部材６０（裏側カバー６２）に対して引っ掛かりなくスムーズに行われるようになっている。
【００７９】
また、可動演出装置５０における可動部材６０の移動方向（回動方向）およびスライド部材７１の移動方向（スライド方向）が、遊技機１の遊技盤５の盤面と平行となるように配置されている構成になっているので、遊技機１の前後方向において嵩張らないように可動演出装置５０を配置することができ、遊技機１という限られた空間の有効利用を図ることが可能となっている。
【００８０】
以上本発明に係る遊技機の実施の形態について説明したが、上述した実施の形態に何ら限定されるものではなく、本発明の趣旨を逸脱しない範囲で種々の改変が可能である。例えば、上述した可動演出装置５０は、表示部１７ａの上方に配設された構成を示したが、そのような構成に限るものではなく、遊技機１の枠等の配設可能な位置であれば、どこでも良く、上述した実施の形態には限定されない。また、可動演出装置５０における可動部材６０の移動方向は上下方向に限るものではなく、例えば、左右方向、前後方向などに移動させるような構成にしても良い。
【００８１】
また、ベース体５１に移動規制壁５１ｄを１つ設けた構成について説明したが、可動部材６０の移動方向（回動方向）に沿って複数の移動規制壁５１ｄを所定の間隔を置いて並設し、可動部材６０が第１位置Ｐ１から第２位置Ｐ２に移動する間に、変位部材６３，６３を間欠的に複数回変位（開閉）させるような構成にしても良いし、可動部材６０を移動させるときには可動部材６０を単体で移動させるような構成でも、表示装置１７（表示部１７ａ）上の表示内容と連動した形態で駆動を行う構成であっても良く、上述した実施の形態には限定されない。
【符号の説明】
【００８２】
１：遊技機    ５：遊技盤    ６：遊技領域    １７：表示装置
１７ａ：表示部    ３０：センター役物    ４０：前面側装飾部材
４０ａ：開口部    ４０ｂ：カバー体    ４１：センターベース
４１ａ：開口部    ５０：可動演出装置    ５１：ベース体
５１ｃ：スリット    ５１ｄ：移動規制壁    ５１ｅ：第１の誘導面
５５：可動ギア    ５５ｂ：偏心軸    ５５ｃ：位置検出用突起部
５６：連結アーム    ６０：可動部材    ６１：表側カバー    ６１ａ：回動部
６１ｃ：偏心軸    ６１ｄ：軸部    ６２：裏側カバー    ６２ａ：円筒部
６２ｃ：ガイド壁    ６２ｄ：規制部    ６２ｅ：挿入口
６２ｈ：バネ係止ピン    ６３：変位部材    ６３ａ：基端部
６３ｂ：被係止部    ６３ｃ：被軸支部    ７１：スライド部材
７１ｂ：係止部    ７１ｃ：挿通口    ７１ｄ：当接部
７１ｅ：第２の誘導面    ７１ｆ：規制孔    ７１ｇ：バネ係止ピン
７１ｉ：突部    ７２：付勢バネ    ８１：モータ    ８１ａ：駆動軸
８２：駆動ギア    ９１：センサ基板    ９２：初期位置検出センサ
９２ａ：対向検出部
【図１】
0005167313.tif 000002
【図２】
0005167313.tif 000003
【図３】
0005167313.tif 000004
【図４】
0005167313.tif 000005
【図５】
0005167313.tif 000006
【図６】
0005167313.tif 000007
【図７】
0005167313.tif 000008
【図８】
0005167313.tif 000009
【図９】
0005167313.tif 000010
【図１０】
0005167313.tif 000011
【図１１】
0005167313.tif 000012
【図１２】
0005167313.tif 000013
【図１３】
0005167313.tif 000014